(57)【要約】【課題】コンデンサをパワーモジュールよりも多く使用する場合にコンデンサに共振が発生しても、電力損失の増大を防ぐことができる電力変換装置を提供する。【解決手段】電力変換装置１は、２４個のコンデンサＣａｐが共通電流経路１０に沿って等間隔に配置されている。コンデンサＣａｐ１と２４の間にパワーモジュールＰＭ１を配置し、これと対になるコンデンサＣａｐ１２と１３を第１のコンデンサ群とし、他のコンデンサＣａｐ１６と１７の間にパワーモジュールＰＭ３を配置し、これと対になるコンデンサＣａｐ４と５を第２のコンデンサ群とし、第１のコンデンサ群と第２のコンデンサ群を共通電流経路１０上で同じ位置に配置しないようにした。【選択図】図１
2010213471.tif 000002
【特許請求の範囲】
【請求項１】
直流電源から供給される直流電流を通す円環状の共通電流経路と、この共通電流経路に接続されるコンデンサと、このコンデンサに前記共通電流経路を介して接続されて前記直流電流を交流電流に変換して出力するパワーモジュールとを有する電力変換装置において、
前記コンデンサを前記共通電流経路に沿って配置し、前記コンデンサ間に前記パワーモジュールを配置すると共に前記共通電流経路上で対となるコンデンサ群とを第１のコンデンサ群とし、前記共通電流経路上で他のコンデンサ間に前記パワーモジュールを配置すると共に前記共通電流経路上で対となるコンデンサ群とを第２のコンデンサ群とし、第１のコンデンサ群と第２のコンデンサ群とを前記共通電流経路上で異なる位置に配置したことを特徴とする電力変換装置。
【請求項２】
請求項１に記載の電力変換装置において、少なくとも１つの相の交流電流を複数のパワーモジュールで出力するように構成したことを特徴とする電力変換装置。
【請求項３】
請求項２に記載の電力変換装置において、前記複数のパワーモジュールは、隣り合う複数のパワーモジュールであることを特徴とする電力変換装置。
【請求項４】
請求項３に記載の電力変換装置において、隣り合う複数のパワーモジュール間に、これらのパワーモジュールの駆動回路を配置したことを特徴とする電力変換装置。
【発明の詳細な説明】
【技術分野】
【０００１】
本件発明は、ハイブリッド車や電気自動車等に搭載される交流モーターに使用される電力変換装置に関する。
【背景技術】
【０００２】
従来、ハイブリッド車や電気自動車等に搭載される交流モーターには、特許文献１に記載されているような電力変換装置が使用されている。この電力変換装置は、円形の電極（円環状の電流経路）と、複数のパワーモジュールおよびコンデンサを備えている。
【０００３】
電極の中心は入力ケーブルを介して直流電源に接続されている。コンデンサおよびパワーモジュールは電極の上下側に入力ケーブルを中心として放射状に配置されており、電極を介して接続されている。これにより、電力変換装置は、直流電源から供給される直流電流をパワーモジュールにより交流電流に変換して交流モーターに出力する。このときに、コンデンサは、リプル電流やサージ電圧を低減している。
【０００４】
また、セラミックコンデンサを使用して、コンデンサとパワーモジュールとを低インピーダンスで接続した場合には、駆動時に各コンデンサに共振（共振電流）が発生する。この共振は、パワーモジュールに近いコンデンサと、このコンデンサから遠いコンデンサに対して大きく発生することが知られている。このため、双方のコンデンサには他のコンデンサよりも大きな電流が流れてしまい、電力損失が増大する。
【０００５】
そこで、従来の電力変換装置では、コンデンサの使用数をパワーモジュールの使用数と同数に設定し、各コンデンサを各パワーモジュールの近傍（下側）に配置している。このようにすることで、各コンデンサに発生する共振の大きさが均一になる。したがって、各コンデンサに流れる電流が均一になるので、電力損失の低減が可能になっている。
【先行技術文献】
【特許文献】
【０００６】
【特許文献１】特開平７−２４５９６８号公報
【発明の概要】
【発明が解決しようとする課題】
【０００７】
しかしながら、従来の電力変換装置では、リプル電流やサージ電圧をさらに低減したり、コンデンサの静電容量を所定量確保するために、コンデンサをパワーモジュールよりも多く使用すると、各コンデンサに発生する共振の大きさが均一にならないので、電力損失が増大してしまう問題があった。
【０００８】
本件発明は、かかる従来の課題に鑑みてなされたものであり、コンデンサをパワーモジュールよりも多く使用する場合にコンデンサに共振が発生しても、電力損失の増大を防ぐことができる電力変換装置を提供することを目的とする。
【課題を解決するための手段】
【０００９】
前記課題を解決するために本件発明の電力変換装置では、コンデンサを共通電流経路に沿って配置し、コンデンサ間にパワーモジュールを配置すると共にこれと共通電流経路上で対となるコンデンサ群と、共通電流経路上で他のパワーモジュールと共通電流経路上で対となるコンデンサ群とを共通電流経路上で異なる位置に配置する構成とした。
【発明の効果】
【００１０】
したがって、本件発明の電力変換装置では、コンデンサをパワーモジュールよりも多く使用する場合にコンデンサに共振が発生しても、一方のパワーモジュールで共振するコンデンサと他方のパワーモジュールで共振するコンデンサとの共振干渉を抑えることができるようになるため、電力損失の増大を防ぐことができる。
【図面の簡単な説明】
【００１１】
【図１】本件発明の第１の実施の形態を示す電力変換装置の模式図である。
【図２】同実施の形態を示す電力変換装置の駆動時の模式図である。
【図３】本件発明の第２の実施の形態を示す電力変換装置の模式図である。
【図４】同実施の形態を示す電力変換装置の駆動時の模式図である。
【図５】本件発明の第３の実施の形態を示す電力変換装置の模式図である。
【図６】本件発明の第４の実施の形態を示す電力変換装置の模式図である。
【図７】本件発明の第５の実施の形態を示す電力変換装置の模式図である。
【発明を実施するための形態】
【００１２】
以下、本件発明の実施の形態を図にしたがって説明する。
【００１３】
第１の実施の形態：
図１は、本件発明の第１の実施の形態を示す電力変換装置１の模式図である。この電力変換装置１は、ハイブリッド車や電気自動車等に搭載される三相の交流モーター（図示せず）に使用される。具体的には、この電力変換装置１は、直流電流を三相（Ｕ相、Ｖ相、Ｗ相）の交流電流に変換して三相の交流モーターに出力する。そして、この電力変換装置１は、円環状の共通電流経路１０と、６個のパワーモジュールＰＭと、２４個のコンデンサＣａｐと、３個の駆動回路ＰＭＤとを備えている。各構成要素については公知のものなので、以下に簡単に説明しておく。
【００１４】
共通電流経路１０は、直流電源から供給される直流電流を通すものである。この共通電流経路１０を形成する部材は、円環状の共通電流経路を有するものであれば、外形形状等は特に問わない。
【００１５】
６個のパワーモジュールＰＭは、共通電流経路１０に接続されている。この６個のパワーモジュールＰＭは、直流電流を交流電流に変換して交流モータに出力するものである。
【００１６】
また、この６個のパワーモジュールＰＭは、２個のパワーモジュールＰＭを１組として構成されている。パワーモジュールＰＭ１と２は、直流電流をＵ相の交流電流に変換して交換モーターに出力するものである。パワーモジュールＰＭ３と４は、直流電流をＶ相の交流電流に変換して交流モーターに出力するものである。パワーモジュールＰＭ５と６は、直流電流をＷ相の交流電流に変換して交流モーターに出力するものである。
【００１７】
２４個のコンデンサＣａｐは、共通電流経路１０を介して６個のパワーモジュールＰＭに接続されている。この２４個のコンデンサＣａｐは、公知のように、リプル電流やサージ電圧を低減するものである。本実施の形態では、コンデンサＣａｐとして、セラミックコンデンサが使用されている。このセラミックコンデンサは、各種のコンデンサの中でインピーダンスが比較的低いものである。したがって、各コンデンサＣａｐは、各パワーモジュールＰＭに対して低インピーダンスで接続されている。
【００１８】
３個の駆動回路ＰＭＤは、それぞれ各パワーモジュールＰＭを駆動するものである。各駆動回路ＰＭＤについて説明すると、まず、駆動回路ＰＭＤ１は、パワーモジュールＰＭ１と２を駆動するものである。駆動回路ＰＭＤ２は、パワーモジュールＰＭ３と４を駆動するものである。駆動回路ＰＭＤ３は、パワーモジュールＰＭ５と６を駆動するものである。
【００１９】
次に、パワーモジュールＰＭとコンデンサＣａｐの配置関係について説明する。ここでは、パワーモジュールＰＭの使用数が６個、コンデンサＣａｐの使用数が２４個の場合、つまり、パワーモジュールＰＭの使用数に対してコンデンサの使用数が４倍の場合の配置関係の一例について説明する。
【００２０】
２４個のコンデンサＣａｐは、共通電流経路１０に沿って等間隔、つまり対称に配置されている。また、６個のパワーモジュールＰＭは、コンデンサＣａｐ、Ｃａｐ間に配置されている。各パワーモジュールＰＭの具体的な配置は以下の通りである。
【００２１】
パワーモジュールＰＭ１・・コンデンサＣａｐ１と２４の間に配置
パワーモジュールＰＭ２・・コンデンサＣａｐ２２と２３の間に配置
パワーモジュールＰＭ３・・コンデンサＣａｐ１６と１７の間に配置
パワーモジュールＰＭ４・・コンデンサＣａｐ１４と１５の間に配置
パワーモジュールＰＭ５・・コンデンサＣａｐ８と９の間に配置
パワーモジュールＰＭ６・・コンデンサＣａｐ６と７の間に配置
各パワーモジュールＰＭの配置位置は、６本の仮想仕切線Ｌで設定される。この６本の仮想仕切線Ｌは、２４個のコンデンサＣａｐを１２等分するものである。各仮想仕切線Ｌは、共通電流経路１０の中心Ｏで対向する所定のコンデンサＣａｐ、Ｃａｐ間の中間位置に設定されている。そして、各仮想仕切線Ｌ上の一方のコンデンサＣａｐ、Ｃａｐ間の中間位置に、各パワーモジュールＰＭが配置されている。
【００２２】
ここで、コンデンサＣａｐ１と２４の間にはパワーモジュールＰＭ１が配置されており、これと対になるコンデンサＣａｐ１２と１３を第１のコンデンサ群とする。また、他のコンデンサＣａｐ１６と１７の間にはパワーモジュールＰＭ３が配置され、これと対になるコンデンサＣａｐ４と５を第２のコンデンサ群とする。そして、第１のコンデンサ群と第２のコンデンサ群は共通電流経路１０上で同じ位置に配置されないようにしている。
【００２３】
したがって、本実施の形態の電力変換装置１では、コンデンサＣａｐをパワーモジュールＰＭよりも多く使用する場合にコンデンサＣａｐに共振が発生しても、一方のパワーモジュールＰＭ１で共振するコンデンサＣａｐと他方のパワーモジュールＰＭ３で共振するコンデンサＣａｐとの共振干渉を抑えることができるようになるため、電力損失の増大を防ぐことができる。
【００２４】
また、以上のようにして、２４個のコンデンサＣａｐと６個のパワーモジュールＰＭが共通電流経路１０に沿って配置されると、各コンデンサＣａｐに発生する共振の大きさが均一に設定される。これについて、図２を用いて説明する。
【００２５】
電力変換装置１が駆動すると、各コンデンサＣａｐは共振する。ここで、コンデンサＣａｐ１と２４には、パワーモジュールＰＭ１が近接している。このため、コンデンサＣａｐ１および２４と、これに共通電流経路１０の中心Ｏで対向しているコンデンサＣａｐ１３および１２は、共振Ａの大きさが同じである。
【００２６】
また、コンデンサＣａｐ２２、２３には、パワーモジュールＰＭ２が近接している。このため、コンデンサＣａｐ２２、２３と、これに共通電流経路１０の中心Ｏで対向しているコンデンサＣａｐ１０、１１は、共振Ｂの大きさが同じである。
【００２７】
また、コンデンサＣａｐ１６、１７には、パワーモジュールＰＭ３が近接している。このため、コンデンサＣａｐ１６、１７と、これに共通電流経路１０の中心Ｏで対向しているコンデンサＣａｐ４、５は、共振Ｃの大きさが同じである。
【００２８】
また、コンデンサＣａｐ１４、１５には、パワーモジュールＰＭ４が近接している。したがって、コンデンサＣａｐ１４、１５と、これに共通電流経路１０の中心Ｏで対向しているコンデンサＣａｐ２、３は、共振Ｄの大きさが同じである。
【００２９】
また、コンデンサＣａｐ８、９には、パワーモジュールＰＭ５が近接している。したがって、コンデンサＣａｐ８、９と、これに共通電流経路１０の中心Ｏで対向しているコンデンサＣａｐ２０、２１は、共振Ｅの大きさが同じである。
【００３０】
また、コンデンサＣａｐ６、７には、パワーモジュールＰＭ６が近接している。したがって、コンデンサＣａｐ６、７と、これに共通電流経路１０の中心Ｏで対向しているコンデンサＣａｐ１８、１９は、共振Ｆの大きさが同じである。
【００３１】
ここで、６つのパワーモジュールＰＭは全て同じものなので、各コンデンサＣａｐに発生している共振Ａ〜Ｆの大きさは均一になる。このため、各コンデンサＣａｐに流れる電流が均一になる。よって、本実施の形態の電力変換装置１では、コンデンサＣａｐをパワーモジュールＰＭよりも多く使用する場合にコンデンサＣａｐに共振が発生しても、電力損失の増大を防ぐことができる。
【００３２】
また、本実施の形態の電力変換装置１では、２個のパワーモジュールＰＭで各相の交流電流を出力するように構成した。したがって、本実施の形態の電力変換装置１は、１個のパワーモジュールＰＭで各相の交流電流を出力する場合に比べて、各相の直流電流を交換電流に変換する効率が高まるので、性能を向上させることができる。
【００３３】
また、本実施の形態の電力変換装置１では、パワーモジュールＰＭ１、２が隣り合って配置されている。さらに、パワーモジュールＰＭ３、４が隣り合って配置され、パワーモジュールＰＭ５、６が隣り合って配置されている。
【００３４】
つまり、本実施の形態の電力変換装置１では、各相の交流電流を出力する際に、隣り合う２個のパワーモジュールＰＭを使用している。したがって、本実施の形態の電力変換装置１では、各相の交流電流を出力する際に、隣り合っていない２個のパワーモジュールＰＭを使用する場合と比べて、各相毎のパワーモジュールＰＭと共通電流経路１０との接続作業をし易くなるので、製造作業の作業効率を高めることができる。
【００３５】
さらに、本実施の形態の電力変換装置１では、隣り合う２個のパワーモジュールＰＭ、ＰＭ間に双方のパワーモジュールＰＭ、ＰＭの駆動回路ＰＭＤを配置している。したがって、本実施の形態の電力変換装置１では、隣り合っていない２個のパワーモジュールＰＭ間に駆動回路を配置する場合と比べて、各相毎のパワーモジュールＰＭと駆動回路との接続作業をし易くすることが可能になる。よって、本実施の形態の電力変換装置１では、製造作業の作業効率をさらに高めることができる。
【００３６】
また、本実施の形態の電力変換装置１では、コンデンサにセラミックコンデンサを使用したので小型化を図ることができる。したがって、本実施の形態の電力変換装置１は、車両に設置する際に、設置スペースを容易に確保することができる。
【００３７】
なお、本実施の形態では、パワーモジュールＰＭ５を、コンデンサＣａｐ８と９の間に配置し、パワーモジュールＰＭ６を、コンデンサＣａｐ６と７の間に配置した。
【００３８】
しかし、例えば、図１の一点鎖線に示すように、パワーモジュールＰＭ５を、コンデンサＣａｐ２０と２１の間に配置し、パワーモジュールＰＭ６を、コンデンサＣａｐ１８と１９の間に配置しても良い。
【００３９】
つまり、６個のパワーモジュールＰＭの内の２個の配置位置を共通電流経路１０の中心Ｏで対向する側に変えても、２個のパワーモジュールＰＭからの影響を受ける８個のコンデンサＣａｐ（コンデンサＣａｐ６〜９、１８〜２１）に発生する共振Ｅ、Ｆの大きさは変わらない。勿論、各パワーモジュールＰＭの配置位置は、図１で示した位置に限定されることはなく、各仮想仕切線Ｌ上で一方のコンデンサＣａｐ、Ｃａｐ間の中間位置に配置されれば良い。
【００４０】
第２の実施の形態：
図３は、本件発明の第２の実施の形態を示す電力変換装置２の模式図である。本実施の形態の電力変換装置２は、共通電流経路１０と、６個のパワーモジュールＰＭと、１２個のコンデンサＣａｐと、３個の駆動回路ＰＭＤとを備えている。各構成要素の機能は、第１の実施の形態で説明した通りである。ここでは、パワーモジュールＰＭの使用数が６個、コンデンサＣａｐの使用数が１２個の場合、つまり、パワーモジュールＰＭの使用数に対してコンデンサの使用数が２倍の場合の配置関係の一例について説明する。
【００４１】
１２個のコンデンサＣａｐは、共通電流経路１０に沿って等間隔に配置されている。また、６個のパワーモジュールＰＭは、コンデンサＣａｐ、Ｃａｐ間に配置されている。各パワーモジュールＰＭの具体的な配置は以下の通りである。
【００４２】
パワーモジュールＰＭ１・・コンデンサＣａｐ１と１２の間に配置
パワーモジュールＰＭ２・・コンデンサＣａｐ１１と１２の間に配置
パワーモジュールＰＭ３・・コンデンサＣａｐ８と９の間に配置
パワーモジュールＰＭ４・・コンデンサＣａｐ７と８の間に配置
パワーモジュールＰＭ５・・コンデンサＣａｐ４と５の間に配置
パワーモジュールＰＭ６・・コンデンサＣａｐ３と４の間に配置
各パワーモジュールＰＭの配置位置は、６本の仮想仕切線Ｌで設定される。この６本の仮想仕切線Ｌは、１２個のコンデンサＣａｐを１２等分するものである。各仮想仕切線Ｌは、共通電流経路１０の中心Ｏで対向する所定のコンデンサＣａｐ、Ｃａｐ間の中間位置に設定されている。そして、各仮想仕切線Ｌ上の一方のコンデンサＣａｐ、Ｃａｐ間の中間位置に、各パワーモジュールＰＭが配置されている。
【００４３】
以上のようにして、１２個のコンデンサＣａｐと６個のパワーモジュールＰＭが共通電流経路１０に沿って配置されると、各コンデンサＣａｐに発生する共振の大きさが全て均一に設定される。これについて図４を用いて説明する。
【００４４】
電力変換装置２が駆動すると、各コンデンサＣａｐは共振する。ここで、コンデンサＣａｐ１、１２にはパワーモジュールＰＭ１が近接している。このため、コンデンサＣａｐ１、１２と、これに共通電流経路１０の中心Ｏで対向しているコンデンサＣａｐ７、６は、共振Ａの大きさが同じである。
【００４５】
また、コンデンサＣａｐ１１、１２にはパワーモジュールＰＭ２が近接している。このため、コンデンサＣａｐ１１、１２と、これに共通電流経路１０の中心Ｏで対向しているコンデンサＣａｐ５、６は、共振Ｂの大きさが同じである。
【００４６】
また、コンデンサＣａｐ８、９にはパワーモジュールＰＭ３が近接している。このため、コンデンサＣａｐ８、９と、これに共通電流経路１０の中心Ｏで対向しているコンデンサＣａｐ２、３は、共振Ｃの大きさが同じである。
【００４７】
また、コンデンサＣａｐ７、８にはパワーモジュールＰＭ４が近接している。したがって、コンデンサＣａｐ７、８と、これに共通電流経路１０の中心Ｏで対向しているコンデンサＣａｐ１、２は、共振Ｄの大きさが同じである。
【００４８】
また、コンデンサＣａｐ４、５にはパワーモジュールＰＭ５が近接している。したがって、コンデンサＣａｐ４、５と、これに共通電流経路１０の中心Ｏで対向しているコンデンサＣａｐ１０、１１は、共振Ｅの大きさが同じである。
【００４９】
また、コンデンサＣａｐ３、４にはパワーモジュールＰＭ６が近接している。したがって、コンデンサＣａｐ３、４と、これに共通電流経路１０の中心Ｏで対向しているコンデンサＣａｐ９、１０は、共振Ｆの大きさが同じである。
【００５０】
ここで、６つのパワーモジュールＰＭは全て同じものなので、各コンデンサＣａｐに発生している共振Ａ〜Ｆの大きさは均一になる。したがって、各コンデンサＣａｐに流れる電流が均一になる。よって、本実施の形態の電力変換装置２は、コンデンサＣａｐをパワーモジュールＰＭよりも多く使用する場合にコンデンサＣａｐに共振が発生しても、電力損失の増大を防ぐことができる。
【００５１】
なお、本実施の形態では、パワーモジュールＰＭ５を、コンデンサＣａｐ４と５の間に配置し、パワーモジュールＰＭ６を、コンデンサＣａｐ３と４の間に配置した。
【００５２】
しかし、例えば、図３の一点鎖線で示すように、パワーモジュールＰＭ５を、コンデンサＣａｐ１０と１１の間に配置し、パワーモジュールＰＭ６を、コンデンサＣａｐ９と１０の間に配置しても良い。
【００５３】
つまり、６個のパワーモジュールＰＭの内の２個の配置位置を共通電流経路１０の中心Ｏで対向する側に変えても、２個のパワーモジュールＰＭからの影響を受ける６個のコンデンサＣａｐ（コンデンサＣａｐ３〜５、９〜１１）に発生する共振Ｅ、Ｆの大きさは変わらない。勿論、各パワーモジュールＰＭの配置位置は、図３で示した位置に限定されることはなく、各仮想仕切線Ｌ上で一方のコンデンサＣａｐ、Ｃａｐ間の中間位置に配置されれば良い。
【００５４】
第３の実施の形態：
図５は、本件発明の第３の実施の形態を示す電力変換装置３の模式図である。本実施の形態の電力変換装置３は、共通電流経路１０と、１個のパワーモジュールＰＭと、２個のコンデンサＣａｐとを備えている。各構成要素の機能は、第１の実施の形態で説明した通りである。ここでは、パワーモジュールＰＭの使用数が１個、コンデンサＣａｐの使用数が２個の場合の配置関係について説明する。
【００５５】
２個のコンデンサＣａｐは、共通電流経路１０に沿って配置されている。パワーモジュールＰＭは、双方のコンデンサＣａｐ、Ｃａｐ間に配置されている。これにより、双方のコンデンサＣａｐ、Ｃａｐに発生する共振の大きさが均一に設定される。これについて以下に説明する。
【００５６】
電力変換装置３が駆動すると、双方のコンデンサＣａｐ、Ｃａｐは共振する。ここで、双方のコンデンサＣａｐ、Ｃａｐは、共にパワーモジュールＰＭの影響を受けているため、双方のコンデンサＣａｐ、Ｃａｐに発生する共振Ａの大きさは均一になる。したがって、双方のコンデンサＣａｐ、Ｃａｐに流れる電流が均一になる。よって、本実施の形態の電力変換装置３は、コンデンサＣａｐをパワーモジュールＰＭよりも多く使用する場合にコンデンサＣａｐに共振が発生しても、電力損失の増大を防ぐことができる。
【００５７】
なお、パワーモジュールＰＭの配置位置は、図５の一点鎖線で示すように、反対のコンデンサＣａｐ、Ｃａｐ間に設定しても良い。また、双方のコンデンサＣａｐ、Ｃａｐの配置位置は、共通電流経路１０に沿って対称、または非対称いずれの形で設定しても良い。
【００５８】
第４の実施の形態：
図６は、本件発明の第４の実施の形態を示す電力変換装置４の模式図である。本実施の形態の電力変換装置４は、共通電流経路１０と、１個のパワーモジュールＰＭと、４個のコンデンサＣａｐとを備えている。各構成要素の機能は、第１の実施の形態で説明した通りである。ここでは、パワーモジュールＰＭの使用数が１個、コンデンサＣａｐの使用数が４個の場合の配置関係について説明する。
【００５９】
４個のコンデンサＣａｐは、共通電流経路１０に沿って等間隔に配置されている。パワーモジュールＰＭは、コンデンサＣａｐ２と３の間の中間位置に配置されている。これにより、各コンデンサＣａｐに発生する共振の大きさが均一に設定される。これについて以下に説明する。
【００６０】
電力変換装置４が駆動すると、各コンデンサＣａｐは共振する。ここで、コンデンサＣａｐ２、３は、パワーモジュールＰＭと近い位置にある。このため、コンデンサＣａｐ２、３と、これに共通電流経路１０の中心Ｏで対向しているコンデンサＣａｐ４、１は、共振Ａの大きさが同じである。つまり４個のコンデンサＣａｐの全ての共振の大きさが均一になる。したがって、各コンデンサＣａｐに流れる電流は均一になる。
【００６１】
よって、本実施の形態の電力変換装置４は、コンデンサＣａｐをパワーモジュールＰＭよりも多く使用する場合にコンデンサＣａｐに共振が発生しても、電力損失の増大を防ぐことができる。なお、パワーモジュールＰＭの配置位置は、図６の一点鎖線で示すように、その他のコンデンサＣａｐ、Ｃａｐ間に設定しても良い。
【００６２】
第５の実施の形態：
図７は、本件発明の第５の実施の形態を示す電力変換装置５の模式図である。本実施の形態の電力変換装置５は、共通電流経路１０と、２個のパワーモジュールＰＭと、４個のコンデンサＣａｐとを備えている。各構成要素の機能は、第１の実施の形態で説明した通りである。ここでは、パワーモジュールＰＭの使用数が２個、コンデンサＣａｐの使用数が４個の場合の配置関係について説明する。
【００６３】
４個のコンデンサＣａｐは、共通電流経路１０に沿って等間隔に配置されている。パワーモジュールＰＭ１は、コンデンサＣａｐ２と３の間の中間位置に配置されている。また、パワーモジュールＰＭ２は、コンデンサＣａｐ１と４の間の中間位置に配置されている。これにより、各コンデンサＣａｐに発生する共振の大きさが均一に設定される。これについて以下に説明する。
【００６４】
電力変換装置５が駆動すると、各コンデンサＣａｐは共振する。ここで、コンデンサＣａｐ２、３は、パワーモジュールＰＭ１と近い位置にある。このため、コンデンサＣａｐ２、３と、これに共通電流経路１０の中心Ｏで対向しているコンデンサＣａｐ４、１は、共振Ａの大きさが同じである。
【００６５】
さらに、コンデンサＣａｐ１、４は、パワーモジュールＰＭ２と近い位置にある。このため、コンデンサＣａｐ１、４と、これに共通電流経路１０の中心Ｏで対向しているコンデンサＣａｐ３、２は、共振Ｂの大きさが同じである。
【００６６】
そして、２個のパワーモジュールＰＭは同じものなので、各コンデンサＣａｐに発生している共振Ａ、Ｂの大きさは均一になる。したがって、各コンデンサＣａｐに流れる電流が均一になる。よって、本実施の形態の電力変換装置５は、コンデンサＣａｐをパワーモジュールＰＭよりも多く使用する場合にコンデンサＣａｐに共振が発生しても、電力損失の増大を防ぐことができる。
【００６７】
なお、本実施の形態では、２個のパワーモジュールＰＭを、図７の一点鎖線で示すように、任意の２つのコンデンサＣａｐ、Ｃａｐ間の中間位置に配置するか、隣り合う２個のコンデンサＣａｐ、Ｃａｐにそれぞれ隣接するように配置すれば良い。つまり、２個のパワーモジュールＰＭの配置位置を変えても、４個全てのコンデンサＣａｐが、この２個のパワーモジュールＰＭの影響を受けることになるので各コンデンサＣａｐに発生する共振の大きさは変わらない。
【００６８】
以上、本件発明にかかる実施の形態を例示したが、これらの実施の形態は本件発明の内容を限定するものではない。また、本件発明の請求項の範囲を逸脱しない範囲であれば、各種の変更等は可能である。
【００６９】
例えば、上記で説明した各実施の形態では、パワーモジュールＰＭの使用数とコンデンサＣａｐの使用数を以下のように設定した場合について説明した。
（１）パワーモジュールＰＭの使用数が１個・・コンデンサＣａｐの使用数が２個または４個
（２）パワーモジュールＰＭの使用数が２個・・コンデンサＣａｐの使用数が４個
（３）パワーモジュールＰＭの使用数が６個・・コンデンサＣａｐの使用数が１２個または２４個
しかし、パワーモジュールＰＭの使用数とコンデンサＣａｐの使用数は、上記の使用数に限定する必要はない。パワーモジュールＰＭの使用数が３個以上の場合には、パワーモジュールＰＭの使用数に対してコンデンサＣａｐの使用数を２倍または４倍に設定して、第１の実施の形態や第２の実施の形態で説明したようにパワーモジュールＰＭとコンデンサＣａｐを配置すれば、各コンデンサＣａｐに流れる電流が均一になるので、電力損失の増大を防ぐことができる。
【００７０】
なお、コンデンサＣａｐの使用数をパワーモジュールＰＭの使用数よりも少なくする場合に、コンデンサＣａｐの使用数が１個または２個の場合は、パワーモジュールＰＭの使用数は特に限定されない。コンデンサＣａｐの使用数が３個以上の場合には、その使用数をパワーモジュールＰＭの使用数の整数倍に設定する。言い換えると、パワーモジュールＰＭの使用数Ｎに対してコンデンサＣａｐの使用数を１／Ｎに設定する（Ｎは整数）。その場合には、共通電流経路１０に沿って使用数のコンデンサを配置し、各コンデンサ間に同数のパワーモジュールＰＭを配置する。
【符号の説明】
【００７１】
１    電力変換装置
２    電力変換装置
３    電力変換装置
４    電力変換装置
５    電力変換装置
１０    共通電流経路
Ｃａｐ    コンデンサ
ＰＭ    パワーモジュール
ＰＭＤ    パワーモジュールの駆動回路
Ａ〜Ｆ    共振
Ｌ    仮想仕切線
【図１】
2010213471.tif 000003
【図２】
2010213471.tif 000004
【図３】
2010213471.tif 000005
【図４】
2010213471.tif 000006
【図５】
2010213471.tif 000007
【図６】
2010213471.tif 000008
【図７】
2010213471.tif 000009